(57)【要約】【課題】複数のガイドに沿って複数の可動物が移動可能な可動ユニットにおいて、ガイドに対して可動物の自重が作用しても複数の可動物の相対位置のずれを抑制することができる可動ユニットを提供すること。【解決手段】この可動ユニット４０は、第１可動物４１と、第１可動物４１と隣接して配置される第２可動物４２と、第１可動物４１のガイドとなる第１ガイド部４３と、第２可動物４２のガイドとなる第２ガイド部４４と、第１ガイド部４３と第２ガイド部４４との鉛直方向の相対移動を規制する鉛直規制部４３ｂ，４４ｂと、を有する。【選択図】図７
2010220879.tif 000002
【特許請求の範囲】
【請求項１】
第１位置と第２位置との間を移動する第１可動物と、
第３位置と第４位置との間を移動し、該第４位置において前記第２位置の前記第１可動物と隣接して配置される第２可動物と、
前記第１可動物の後方において該第１可動物の接続部と連結され、該第１可動物のガイドとなる第１ガイド部と、
前記第２可動物の後方において該第２可動物の接続部と連結され、該第２可動物のガイドとなる第２ガイド部と、
前記第１ガイド部と前記第２ガイド部との鉛直方向の相対移動を規制する鉛直規制部と、を有する可動ユニットであって、
前記第１可動物の前記接続部及び前記第２可動物の前記接続部は該第１可動物の重心及び該第２可動物の重心より後方に位置しており、前記第１可動物の自重及び第２可動物の自重が前記第１ガイド部及び前記第２ガイド部に対して作用するように構成されている、可動ユニット。
【請求項２】
前記第１可動物の表面と前記第２可動物の表面には、任意対象物の一部を表現する表示部が設けられており、前記第２位置の前記第１可動物の前記表示部と前記第４位置の前記第２可動物の前記表示部とが一体となって前記任意対象物全体を表現するように構成されている、請求項１に記載の可動ユニット。
【請求項３】
前記第１可動物の前記表示部の後方と前記第２可動物の前記表示部の後方には、該第１可動物が前記第２位置にあって該第２可動物が前記第４位置にある場合に該第１可動物と該第２可動物との鉛直方向の相対位置を調整する鉛直調整部が設けられている、請求項２に記載の可動ユニット。
【請求項４】
前記第１可動物の前記表示部と前記第２可動物の前記表示部との表面には表面処理層が設けられており、
前記鉛直調整部は、前記第１可動物と前記第２可動物とに各々固定され、かつ互いが当接することにより該第１可動物と該第２可動物との鉛直方向の相対位置を調整するように構成されており、
前記第１可動物が前記第２位置にあって前記第２可動物が前記第４位置にある場合に、前記鉛直調整部は互いに当接し、該第１可動物の前記表示部と該第２可動物の前記表示部とは離間するように構成されている、請求項２又は請求項３に記載の可動ユニット。
【発明の詳細な説明】
【技術分野】
【０００１】
本発明は、可動ユニットに係り、特に複数のガイド部を有し、各ガイド部に沿って複数の可動物が各々移動可能な可動ユニットに関する。
【背景技術】
【０００２】
パチンコ機においては、弾球された遊技球が遊技領域（遊技盤面上又はその近傍に形成された領域であって、遊技球の流下による遊技や演出を実現するための領域。）を流下して、その流下の過程で遊技球が遊技領域内の遊技釘（ゲージともいう。）や風車に衝突しつつ転回して流下方向が変化する。その結果、遊技領域上に配置された各種入賞口に遊技球が入賞すれば所定の景品球の払出しがされ、一方いずれの入賞口にも入賞せずアウト口に遊技球が流入すれば景品球の払出しはされない。遊技者は、弾球における自らの技量を発揮して、又は遊技球の流下における偶然性を利用しつつ遊技球の入賞及び景品球払出しを期待し、遊技を楽しむのである。
【０００３】
遊技球の流下に基づく遊技を実現する遊技領域には、遊技球が入球する入球口を有する入賞装置や、遊技状態等を表示する表示装置や、可動物を有する可動ユニット等、種々の部材が配置されている。例えば、特許文献１には、表示装置の前方に一対の駆動扉を配置した可動ユニットが記載されている。
【先行技術文献】
【特許文献】
【０００４】
【特許文献１】特開２００７−６１４８８号公報
【発明の概要】
【発明が解決しようとする課題】
【０００５】
特許文献１に記載の可動ユニットは、表示手段の前側において左右方向移動可能に配置された一対の駆動扉と、この駆動扉を互いに当接する全閉位置と表示手段の左右両側に退避する全開位置との間で開閉駆動する駆動機構と、を有している。駆動機構は、左右の駆動扉の下端側又は上端側に沿って設けられた左右ラックと、この左右ラックと噛み合うピニオンと、を有しており、この左右ラックに沿って駆動扉が移動する。
【０００６】
可動ユニットは、駆動扉を全開位置に移動すると後方の表示装置を視認可能な状態となり、駆動扉を全閉位置に移動すると表示装置の前方を塞ぐことができ、異なる演出態様を実現することができる。しかし、駆動扉が移動中に傾いたりして一対の駆動扉の相対位置がずれてしまうと、表示装置の前方を確実に塞ぐことができないおそれがある。
【０００７】
このような問題に鑑みて、特許文献１に記載の可動ユニットには、駆動扉が全閉位置又はその近傍に位置するときに駆動扉の傾きを是正する傾き是正手段が設けられている。傾き是正手段によって駆動扉の傾きを正しい角度に調整することにより、表示装置の前方を確実に塞ぐことが可能となる。
【０００８】
しかし、左右ラックが駆動扉の上端側に配置される構成において、駆動扉の自重が左右ラックに作用すると、左右ラックが歪んで左右ラックの鉛直方向の位置ずれが発生するおそれがある。左右ラックの位置ずれが生じると、左右ラックに沿って移動する駆動扉も鉛直方向の位置ずれを生じ、駆動扉の鉛直方向の位置ずれが生じるおそれがある。
【０００９】
本発明は、上記の事情に鑑みて為されたものであり、複数のガイド部に沿って複数の可動物が移動可能な可動ユニットにおいて、ガイド部に対して可動物の自重が作用しても複数の可動物の鉛直方向における位置ずれを抑制することができる可動ユニットを提供することを例示的課題とする。
【課題を解決するための手段】
【００１０】
本発明の例示的な側面としての可動ユニットは、第１位置と第２位置との間を移動する第１可動物と、第３位置と第４位置との間を移動し、第４位置において第２位置の第１可動物と隣接して配置される第２可動物と、第１可動物の後方において第１可動物の接続部と連結され、第１可動物のガイドとなる第１ガイド部と、第２可動物の後方において第２可動物の接続部と連結され、第２可動物のガイドとなる第２ガイド部と、第１ガイド部と第２ガイド部との鉛直方向の相対移動を規制する鉛直規制部と、を有する可動ユニットであって、第１可動物の接続部及び第２可動物の接続部は第１可動物の重心及び第２可動物の重心より後方に位置しており、第１可動物の自重及び第２可動物の自重が第１ガイド部及び第２ガイド部に対して作用するように構成されている。
【００１１】
可動ユニットは、第１可動物と第２可動物とを備えており、第２位置の第１可動物と第４位置の第２可動物とは隣接して配置される。第１可動物の後方には第１ガイド部が配置されており、第２可動物の後方には第２ガイド部が配置されており、第１可動物と第２可動物とは各々異なる第１ガイド部と第２ガイド部とに沿って移動する。
【００１２】
第１ガイド部は、第１可動物の接続部に連結しており、第１可動物の接続部は第１可動物の重心より後方に配置されている。したがって、第１ガイド部には、第１可動物の自重によって前方への引張力が作用する。また、第２ガイド部は、第２可動物の接続部に連結しており、第２可動物の接続部は第２可動物の重心より後方に配置されている。したがって、第２ガイド部には、第２可動物の自重によって前方への引張力が作用する。このように第１ガイド部及び第２ガイド部には、第１可動物の自重及び第２可動物の自重が各々作用している。
【００１３】
また、第１可動物のガイドとなる第１ガイド部と第２ガイド部のガイドとなる第２ガイド部とは別個に設けられている。よって、第１可動物の自重と第２可動物の自重とが各々第１ガイド部と第２ガイド部に作用すると、第１可動物の自重と第２可動物との自重によって第１ガイド部と第２ガイド部の鉛直方向における相対位置がずれてしまうおそれがある。ガイド部の位置ずれが生じると、そのガイド部に沿って移動する可動物同士の相対位置もずれてしまう。しかしながら、鉛直規制部を設けることにより、第１ガイド部と第２ガイド部との鉛直方向の相対移動を規制することができる。
【００１４】
鉛直規制部は、第１ガイド部と第２ガイド部の鉛直方向における位置ずれを防止するために、第１ガイド部と第２ガイド部との相対移動を規制するものである。具体的には、例えば、第２ガイド部に向かって突出する凸部を第１ガイド部に設け、凸部と噛み合う凹部を第２ガイド部に設ける。そして、凹部と凸部とが噛み合うことにより、第１ガイド部と第２ガイド部との相対移動を規制する構成を例示できる。
【００１５】
鉛直規制部を設けることにより、第１可動物の自重と第２可動物の自重とが第１ガイド部と第２ガイド部とに作用した場合であっても、第１ガイド部と第２ガイド部との位置ずれを防止して、第１ガイド部と第２ガイド部とに沿って移動する第１可動物と第２可動物との位置ずれを抑制することができる。
【００１６】
第１可動物は、第１位置と第２位置との間を移動可能に構成されており、第２位置は第２可動物に隣接する位置となる。第２可動物は、第１可動物の可動範囲と異なる第３位置と第４位置との間を移動可能に構成されており、第４位置は第１可動物に隣接する位置となる。具体的な構成としては、第１可動物と第２可動物と左右に隣接して配置し、中心側を第２位置及び第４位置に設定する構成を例示できる。なお、第１可動物と第２可動物との可動態様（可動距離、可動範囲、可動角度、可動速度等）は、対称であってもよいし、非対称であって異なる可動態様であってもよい。
【００１７】
第１ガイド部と第２ガイド部は、第１可動物と第２可動物とが移動する際のガイドとなる部材である。第１ガイド部は、第１可動物の後方において第１可動物の接続部と連結している。第２ガイド部は、第２可動物の後方において第２可動物の接続部と連結している。具体的な構成としては、第１可動物又は第２可動物の後方の上端面と連結され、第１可動物と第２可動物を吊り下げた状態で移動させる構成を例示できる。また、可動ユニットは、第１可動物と第２可動物とを駆動するモータ等の駆動手段を備え、駆動手段によって第１可動物及び第２可動物とを移動するように構成してもよい。
【００１８】
このように構成された可動ユニットは、遊技機における遊技を実現する遊技装置体や遊技機枠に配置され、種々の可動態様によって演出実行することが可能である。具体的には、遊技盤の略中央に配置されるセンター役物や、遊技球が流入可能な入球口が設けられた入球ユニットや、発光体等を有する装飾ユニットに設けることができる。
【００１９】
遊技装置体は、球の流下に基づく遊技を実現するためのものであり、具体的には、パチンコ遊技機における遊技盤を例示できる。また、遊技機がスロットマシンである場合には、遊技装置体としてのリール（回胴装置）を例示できる。
【００２０】
また、遊技機枠とは、遊技装置体を内包する枠部材又は枠部材の集合体であって、遊技装置体の側方や前方を囲むためのものである。例えば、遊技機がパチンコ遊技機である場合には、遊技装置体としての遊技盤を内包する筐体枠、機枠又は前面枠若しくはこれらの組合せ等が遊技機枠に該当し、遊技機がスロットマシンである場合には、遊技装置体としてのリール（回胴装置）を内包するキャビネット（筐体枠及び／又は前面枠）が遊技機枠に該当する。もちろん、パチンコ遊技機やスロットマシン以外の遊技機においても、それら遊技機における遊技を実現する遊技装置体（例えば、コインゲーム機における遊技盤やアーケードマシンにおけるゲーム画像表示装置等）を内包する枠部材等がこの遊技機枠に該当する。
【００２１】
第１可動物の表面と第２可動物の表面には、任意対象物の一部を表現する表示部が設けられており、第２位置の第１可動物の表示部と第４位置の第２可動物の表示部とが一体となって任意対象物全体を表現するように構成されていてもよい。
【００２２】
任意対象物の一部を表現するように表示部を第１可動物の表面に設けるとともに、任意対象物の一部を表現する表示部を第２可動物の表面に設けることにより、遊技者は第１可動物の表面と第２可動物の表面に設けられた表示部を視認することができる。第２位置の第１可動物と第４位置の第２可動物とは隣接しており、第１可動物の表示部と第２可動物の表示部とを一体化して任意対象物全体を表現することができる。
【００２３】
第１可動物の表示部と第２可動物の表示部とによって任意対象物全体を表現することにより、第１可動物と第２可動物とが隣接した状態で第１可動物と第２可動部との一体感を高めることができる。また、第１可動物と第２可動物とが離間した状態では、第１可動物の表示部と第２可動物の表示部とが各々任意対象物の一部を表現し、第１可動物と第２可動物とが隣接した状態では、第１可動物の表示部と第２可動物の表示部とによって任意対象物全体を表現することができ、表現態様を変化させて演出のバリエーションを多様化することができる。
【００２４】
第１可動物の表示部の後方と第２可動物の表示部の後方には、第１可動物が第２位置にあって第２可動物が第４位置にある場合に第１可動物と第２可動物との鉛直方向の相対位置を調整する鉛直調整部を設けることが望ましい。鉛直調整部を設けることにより、第１可動物と第２可動物とが隣接する位置において、第１可動物と第２可動物との鉛直方向の相対位置を調整することができる。
【００２５】
本発明に係る可動ユニットは、鉛直規制部によって第１ガイド部と第２ガイド部との鉛直方向における位置ずれを防止する。しかし、長期間に亘って使用していると経時劣化等により第１ガイド部と第２ガイド部の鉛直方向における位置ずれが発生するおそれがある。第１ガイド部と第２ガイド部との位置ずれが発生すると、第１可動物と第２可動物との相対位置のずれが生じることとなる。
【００２６】
また、鉛直規制部によって第１ガイド部と第２ガイド部の鉛直方向における位置ずれが発生しない場合であっても、第１ガイド部と第１可動物の接続部との連結部分の不具合等により第１可動物自体が傾いて、第１可動物と第２可動物との位置ずれが発生するおそれがある。第１可動物と第２可動物との位置ずれが発生した場合、第１可動物と第２可動物とが離間した状態では位置ずれを把握し難いが、第１可動物と第２可動物とが隣接した状態では位置ずれが目立ってしまう。
【００２７】
したがって、第１可動物が第２位置にあって第２可動物が第４位置にある状態（第１可動物と第２可動物とが隣接した状態）において第１可動物と第２可動物との鉛直方向の相対位置を調整する鉛直調整部を設け、この鉛直調整部によって隣接して配置された第１可動物と第２可動物との鉛直方向の位置を調整することが望ましい。なお、鉛直調整部は、第１可動物の表示部の後方と第２可動物の表示部の後方に配置されており、前方に居る遊技者から視認し難くすることができる。
【００２８】
具体的な構成としては、第１可動物と第２可動物とのいずれか一方には他方に向けて突出する突起部を設け、他方には突起部が挿入可能な穴部を形成する。突起部を先細り形状として、穴部を突起部と嵌合する形状とする。第１可動物が第２位置に移動して第２可動物が第４位置に移動することにより、突起部が穴部に挿入して、これらの嵌合により第１可動物と第２可動物との鉛直方向の位置を調整する構成を例示できる。
【００２９】
また、第１可動物の表示部と第２可動物の表示部との表面に表面処理層が設けられた可動ユニットにおいて、鉛直調整部は、第１可動物と第２可動物とに各々固定され、かつ互いが当接することにより第１可動物と第２可動物との鉛直方向の相対位置を調整するように構成されており、第１可動物が第２位置にあって第２可動物が第４位置にある場合に、鉛直調整部は互いに当接し、第１可動物の表示部と第２可動物の表示部とは離間するように構成することが望ましい。
【００３０】
第１可動物の表示部と第２可動物の表示部との表面に表面処理層を設けることにより、遊技者が視認する第１可動物の表示部と第２可動物の表示部の装飾効果を高めることができる。表面処理層とは、例えば、金属のメッキ加工や透明樹脂による保護層である。このような表面処理層が設けられた可動ユニットにおいて、第１可動物の表示部と第２可動物の表示部とが衝突すると、表示部に設けられた表面処理層が傷ついたり、破損したりするおそれがある。
【００３１】
したがって、第１可動物が第２位置であって第２可動物が第４位置にある場合に、鉛直調整部同士を当接させて鉛直調整部によって第１可動物と第２可動物との相対位置を調整し、第１可動物の表示部と第２可動物の表示部とを離間するように構成することが望ましい。第１可動物が第２位置であって第２可動物が第４位置にある場合に、表面処理層が設けられた表示部同士を離間させることにより、表面処理層が傷ついたり破損したりすることを防止することができる。
【００３２】
具体的には、第２可動物に向けて突出する第１突起部を第１可動物に設け、第１可動物に向けて突出する第２突起部を第２可動物に設け、第１突起部と第２突起部の対向面を互いに噛み合う凹凸形状とする。そして、第１可動物の表示部と第２可動物の表示部との対向面を各々第１突起部及び第２突起部より離間させる。この構成によれば、第１可動物と第２可動物が隣接した状態において、第１可動物の表示部と第２可動物の表示部とが離間しているため表面処理層の破損を防ぐことができる。また、第１突起部と第２突起部とが当接することにより、対向面の凹凸が噛み合って第１可動物と第２可動物の相対位置を調整することができる。
【００３３】
第１可動物と第２可動物には、第１可動物が第２位置にあって第２可動物が第４位置にある場合に互いに吸着する磁気吸着手段が設けられている。磁気吸着手段を備える可動ユニットによれば、第１可動物と第２可動物とが隣接する状態において互いに吸着する方向の力が作用し、第１可動物と第２可動物とを隣接位置に導き易くなる。また、磁気吸着手段を設けることにより、第１可動物と第２可動物との間隔を所望の間隔に保つことができ、例えば、第１可動物と第２可動物との隙間を設けずに容易に密着させることも可能となる。
【００３４】
本発明の更なる目的又はその他の特徴は、以下添付図面を参照して説明される好ましい実施の形態によって明らかにされるであろう。
【発明の効果】
【００３５】
本発明によれば、第１可動物と第２可動物のガイドとなる第１ガイド部と第２ガイド部の鉛直方向における相対移動を鉛直規制部によって規制することができる。第１可動物の自重と第２可動物の自重とが第１ガイド部と第２ガイド部とに作用した場合であっても、第１ガイド部と第２ガイド部との位置ずれを防止して、第１ガイド部と第２ガイド部とに沿って移動する第１可動物と第２可動物との位置ずれを抑制することができる。また、鉛直調整部を設けることにより、第１可動物と第２可動物とが隣接する位置における第１可動物と第２可動物の鉛直方向相対位置を調整することができる。
【図面の簡単な説明】
【００３６】
【図１】本発明の実施の形態に係るパチンコ機の正面図である。
【図２】パチンコ機から取り外した裏センター役物の正面図である。
【図３】図２に示す可動ユニットを示した図である。
【図４】図３に示す可動ユニットの駆動機構を示す図である。
【図５】可動ユニットの駆動態様を示す平面図である。
【図６】可動ユニットの駆動態様を示す正面図である。
【図７】図３に示すＡ部分を拡大した鉛直規制部の部分拡大図である。
【図８】図３に示すＢ部分を拡大した鉛直調整部の部分拡大図である。
【図９】（ａ）は可動ユニットの駆動機構を示す正面図であり、（ｂ）は（ａ）に示すＣ部分を拡大した部分拡大図である。
【図１０】変形例に係る第１表示部と第２表示部との隣接部分を拡大した拡大正面図である。
【発明を実施するための形態】
【００３７】
以下、本発明の実施の形態について図面を用いて説明する。図１は、本発明の実施の形態に係る遊技機としてのパチンコ機２の正面図である。このパチンコ機２は、遊技機枠３、遊技盤ユニット５、前面ガラス（透明板）１０、発射ユニット（図示せず）、貯留皿１４を有している。発射ユニットは、１個ずつ遊技球２３を遊技盤ユニット５に構成される遊技領域１６に向けて発射可能である。
【００３８】
パチンコ機２は、アレンジボール機、雀遊技球機等の組合せ式パチンコ機、いわゆるデジパチタイプ（１種タイプ）やハネモノタイプ（２種タイプ）のパチンコ機等のあらゆるパチンコ機が概念できるが、本実施の形態においては、デジパチ遊技（１種遊技、図柄変動遊技ともいう。）を実現するいわゆる１種タイプのパチンコ機について例示説明する。図柄変動遊技については後述する。
【００３９】
パチンコ機２の遊技機枠３は、後述する遊技盤ユニット５を保持するためのもので、このパチンコ機２の周囲及び前方又はそれに加えて後方を囲むように構成される。遊技機枠３の内部には、遊技盤ユニット５の他にも各種電子基板や遊技媒体用の経路等各種機構部品が配置され、遊技機枠３によって周囲側面及び前面又はそれに加えて後方からのパチンコ機２内部への不正アクセスが防止されるようになっている。
【００４０】
例えば、パチンコ機２の周囲を囲む筐体枠４、その内側にヒンジ部（揺動支持部）２２によって前方開閉可能に揺動支持されて遊技盤ユニット５を保持する機枠９、機枠９の前方にヒンジ部２２によって前方開閉可能に揺動支持されて前面ガラス１０とその周囲を装飾する装飾部材３２とを保持する装飾枠１２とを有して遊技機枠３が構成される。
【００４１】
前面ガラス１０は、遊技盤６に対して一定距離以上離間して配置され、パチンコ機２の前方を覆い、内部に保持された遊技盤６を前方から遊技者が視認することができるようにするための透明部材である。前面ガラス１０は２枚の透明平板ガラスで形成されて装飾枠１２の裏面側に保持され、遊技盤６との間に遊技球２３が流下する流下空間を形成する機能、遊技者が前面ガラス１０を通して遊技盤６を視認できるように視認性を確保する機能、遊技者が遊技盤６に不正にアクセス（接触）できないように不正アクセスを防止する機能、を発揮する。
【００４２】
貯留皿１４は、遊技者の持ち球を貯留するためにパチンコ機２の前面に配置された皿部材であって、本実施の形態においては上皿１４ａと下皿１４ｂとを有している。上皿１４ａは、遊技球排出ボタン１４ｃを有して遊技盤６の下方、すなわち装飾枠１２の下方部分に配置され、下皿１４ｂは、その上皿１４ａの更に下方に配置されている。
【００４３】
発射ユニットは、遊技球供給装置（図示せず）によって貯留皿１４の一部としての上皿１４ａから発射位置に送り出された遊技球２３を、遊技領域１６の上部に向けて発射（弾球）するためのものである。発射ユニットは、例えば発射位置の遊技球２３を弾球する発射杆、その発射杆を駆動する発射モータ、発射杆を付勢して弾球力を発生させる発射バネ等を有してユニット構成され、機枠９に取り付けられている。その発射ユニットによる球発射のため、遊技者の操作に基づいて球発射のオンオフ及びその発射強度調整を実現する発射ハンドル１５がパチンコ機２の前面下方に設けられている。
【００４４】
遊技盤ユニット５は、表面側の略中央にセンター役物７が配置された遊技盤６を有しており、その遊技盤６には多数のゲージ（遊技釘）も配置されている。遊技盤６は、その表面側に遊技球２３の流下による遊技を実現するための遊技領域１６を構成するための遊技装置体であり、遊技盤６を前方から遊技者にとって視認可能となるように遊技機枠３（本実施の形態においては、遊技機枠３の一部としての機枠９。）に保持されている。その遊技盤６の表面には略円形状に周囲を囲むようにレール飾り２６が取り付けられており、レール飾り２６の内側面（内周面）２６ａが遊技盤に対して立設するように配置されている。そして、レール飾り２６の内側面２６ａによって画定され、内側面２６ａに面した略円形状の領域が遊技領域１６となっている。
【００４５】
ゲージは、遊技領域１６を流下する遊技球２３と衝突してその流下方向を変更させる流下変更部材であり、多数が遊技領域１６内に配置されている。また、遊技領域１６には、普通入賞口２８、中央始動口２９、中央大入賞口３１、等の入球部材及びアウト口３８が配置されている。流下する遊技球２３が各入球部材に流入したり、通過ゲートを通過したり、風車を回転させたりすることによって、遊技球２３による流下遊技を楽しむことができるようになっている。
【００４６】
センター役物７は、図柄変動遊技を実現するものである。センター役物７の中央部には、図柄表示装置７ａが配置されるとともに、この図柄表示装置７ａの表示画面（映像表示面）７ｂを露出させるための表示開口部７ｄが形成されている。表示開口部７ｄの中央上部には、可動ユニット４０が設けられている。可動ユニット４０については後述する。
【００４７】
図柄表示装置７ａは、例えば、液晶表示装置・有機ＥＬディスプレイ・ＬＥＤ等により構成されて遊技者が遊技盤６の表面側から視認可能となるように配置され、その表示画面７ｂ上に映像表示を行うものである。この表示画面７ｂ上には、例えば、３桁の数字又は文字等により構成される表示図柄７ｃが回転又は停止するように映像として表示される。また、例えば、キャラクター等によるストーリー仕立ての映像としての演出映像も表示画面７ｂ上に表示されるようになっている。
【００４８】
センター役物７は、遊技領域１６の略中央に位置しており、発射された遊技球２３の勢いが比較的弱い場合には、遊技球２３はセンター役物７の左側部分の遊技領域１６を流下する。図示しない球発射装置により遊技球２３が発射されると、遊技球２３はレール飾り２６の内側面２６ａに沿いつつ進行して遊技領域１６内の上部に至る。その後、遊技球２３は、複数の通過軌跡に沿って移動し、あるものはレール飾り２６の内側面２６ａに沿って右側に移動し、あるものはゲージに衝突しつつ遊技領域１６内を下方に流下し、あるものは普通入賞口２８に流入して一定数の景品球払出しの契機となり、あるものはいずれの入球装置にも流入せずに遊技領域１６内最下部に位置するアウト口３８に流入してアウト球としてパチンコ機２の外部側へと排出される。
【００４９】
図柄変動遊技中に遊技球２３が中央始動口２９に流入すると、その流入に起因して図柄表示装置７ａの表示図柄７ｃが回転表示（第１の特別遊技の抽選）を開始し、その表示図柄７ｃが所定の図柄（例えば、「７・７・７」。）で停止表示すれば、図柄変動遊技における大当り（第１の特別遊技。以下、図柄変動大当りという。）が発生する。そして、中央大入賞口３１が開放して多量の入賞球を受け入れ、多量の景品球が貯留皿１４へと払い出されるようになっている。
【００５０】
次いで、図２から図９に基づいてセンター役物７に設けられた可動ユニットについて詳細に説明する。センター役物７は、遊技盤６を挟んで前後に配置される表センター役物７ｆと裏センター役物７ｇとによって構成されている。表センター役物７ｆは、遊技盤６の前方に配置され、遊技者に対して装飾効果を発揮する。裏センター役物７ｇは、遊技盤６の後方に配置され、表センター役物７ｆ及び遊技盤６に形成された表示開口部７ｄ等を介して正面から視認される。裏センター役物７ｇの略中央には、図柄表示装置７ａが配置される。なお、以下の説明における前後、左右及び上下は、遊技者が正面からパチンコ機２を視認した状態における方向である。
【００５１】
本実施の形態では、裏センター役物７ｇに取り付けられた可動ユニット４０について詳細に説明する。図２は、遊技盤６から取り外した状態の裏センター役物７ｇの正面図であり、図３は、可動ユニット４０を示した図であり、（ａ）は正面図、（ｂ）は平面図である。図４は、第１ガイド部及び第２ガイド部の上面及び第１モータ及び第２モータを省略した可動ユニット４０を示した図であり、（ａ）は右上方から見た斜視図、（ｂ）は平面図である。
【００５２】
可動ユニット４０は、第１位置と第２位置との間を移動する第１可動物４１と、第３位置と第４位置との間を移動する第２可動物４２と、第１可動物４１の重心より後方において第１可動物４１と連結する第１ガイド部４３と、第２可動物４２の重心より後方において第２可動物４２と連結する第２ガイド部４４と、第１可動物４１を駆動する第１モータ４５と、第２可動物４２を駆動する第２モータ４６と、第１ガイド部４３及び第２ガイド部４４とが固定され、可動ユニット４０を裏センター役物７ｇに接続するベース部４７と、を備える。
【００５３】
第１可動物４１は、表面に金属のメッキ加工が施され、マーク（任意対象物）の左半分を表現する第１表示部４１ａと、第１ガイド部４３と第１表示部４１ａとを連結する第１連結部４１ｂと、を有する。第１連結部４１ｂは、第１表示部４１ａとネジによって固定されており、第１可動物４１の接続部として第１ガイド部４３と連結されている。第１連結部４１ｂには、第２可動物４２側に突出して形成された位置調整部としての第１調整突起部４１ｃと、第１モータ４５に連結された第１ピニオン４５ａと噛み合う第１ラック部４１ｄと、が設けられている。
【００５４】
第２可動物４２は、表面に金属のメッキ加工が施され、マーク（任意対象物）の右半分を表現する第２表示部４２ａと、第２ガイド部４４と第２表示部４２ａとを連結する第２連結部４２ｂと、を有する。第２連結部４２ｂは、第２表示部４２ａとネジによって固定されており、第２可動物４２の接続部として第２ガイド部４４と連結されている。連結部４２ｂには、第２可動物４２側に突出して形成された位置調整部としての第２調整突起部４２ｃと、第２モータ４６に連結された第２ピニオン４６ａと噛み合う第２ラック部４２ｄと、が設けられている。
【００５５】
次いで、第１可動物４１及び第２可動物４２の移動態様に基づいて詳細に説明する。図５は平面図であり、図６は正面図である。図５及び図６における（ａ）は、移動後の状態であり、第１可動物４１が第２位置にあって第２可動物４２が第４位置にある状態である。（ａ）に示す状態では、第１可動物４１と第２可動物４２とは隣接している。また、図５及び図６における（ｂ）は、移動前の状態であり、第１可動物４１が第１位置にあって第２可動物が第３位置にある状態である。なお、図５及び図６においては、図４と同様に内部の機構の説明の便宜上、第１ガイド部４３及び第２ガイド部４４の上面と第１モータ４５及び第２モータ４６とを省略して示している。
【００５６】
第１ガイド部４３は、第１表示部４１ａの後方であって、かつ第１連結部４１ｂの下方に配置されており、第１連結部４１ｂから下方に向かって突出した第１連結突起部（図示せず）が挿入する第１連結穴部４３ａが形成されている。第１連結突起部は、第１連結穴部４３ａに沿って移動する。第１モータ４５が回転駆動して第１ピニオン４５ａが回転すると、第１ピニオン４５ａと噛み合う第１ラック部４１ｄを介して第１連結部突起部が第１連結穴部４３ａに沿って移動する。このようにして第１可動物４１は、第１位置と第２位置との間を移動する。
【００５７】
第２ガイド部４４は、第２表示部４２ａの後方であって、かつ第２連結部４２ｂの下方に配置されており、第２連結部４２ｂから下方に向かって突出した第２連結突起部（図示せず）が挿入する第２連結穴部４４ａが形成されている。第２連結突起部は、第２連結穴部４４ａに沿って移動する。第２モータ４６が回転駆動して第２ピニオン４６ａが回転すると、第２ピニオン４６ａと噛み合う第２ラック部４２ｄを介して第１連結部突起部が第２連結穴部４４ａに沿って移動する。このようにして第２可動物４２は、第３位置と第４位置との間を移動する。
【００５８】
第１可動物４１と第２可動物４２の後方には、ＬＥＤを有する装飾発光部４８が配置されている。第１可動物４１が第２位置から第１位置に移動すると、第１可動物４１の後方の装飾発光部４８を視認可能になり、第２可動物４２が第４位置から第３位置に移動すると、第２可動物４２の後方の装飾発光部４８を視認可能になる。したがって、第１可動物４１及び第２可動物４２が移動することによって、第１可動物４１及び第２可動物４２の位置変化だけでなく、装飾発光部４８の視認態様も変化させることができる。
【００５９】
また、第１ガイド部４３の第１連結穴部４３ａと第２ガイド部４４の第２連結穴部４４ａは、左右方向に沿った直線状でなく曲線状である。よって、第１可動物４１及び第２可動物４２の移動軌跡は曲線状になる。第１可動物４１は、第１位置よりも第２位置が前方に位置しており、第２可動物４２は、第３位置よりも第４位置が前方に位置している。したがって、第１可動物４１が第１位置から第２位置まで移動し、かつ第２可動物４２が第３位置から第４位置までの移動する軌跡は、前方に迫りつつ左右方向の中心に向かう軌跡となる。このように移動の前後において奥行方向の位置が変化するため、奥行方向の位置が変化しない移動態様と比較して、立体感があり迫力のある移動態様となる。
【００６０】
可動ユニット４０は、第１可動物４１の位置を検出する第１センサ４９と、第２可動物４２の位置を検出する第２センサ５０と、を備えている。第１センサ４９及び第２センサ５０は、一対の投受光板を有している。第１可動物４１及び第２可動物４２には、第１遮光板４１ｅ及び第２遮光板４２ｅが設けられている。第１可動物４１が第２位置にある際に第１遮光板４１ｅが第１センサ４９の投受光板間を遮光し、第２可動物４２が第４位置にある際に第２遮光板４２ｅが第２センサ５０の投受光板間を遮光する。したがって、第１センサ４９によって第１可動物が第２位置にあることを検出し、第２センサ５０によって第２可動物が第４位置にあることを検出することができる。
【００６１】
このように構成された可動ユニット４０は、第１ガイド部４３及び第２ガイド部４４の前方に比較的大型の第１表示部及び第２表示部が設けられている。第１可動物４１の重心は、第１表示部４１ａ内に位置しており、第２可動物４２の重心は第２表示部４２ａ内に位置している。また、第１可動物４１の接続部となる第１連結部４１ｂは、第１表示部４１ａの後方に配置されており、第２可動物４２の接続部となる第２連結部４２ｂは、第２表示部４２ａの後方に配置されている。
【００６２】
すなわち、第１可動物４１の接続部と第２可動物４２の接続部は、第１可動物４１の重心及び第２可動物４２の重心より後方に位置している。このように重心より後方に配置された接続部と連結された第１ガイド部４３及び第２ガイド部４４には、第１可動物４１の自重と第２可動物４２の自重とが各々作用している。
【００６３】
したがって、可動ユニット４０には、第１可動物４１の自重と第２可動物４２の自重によって第１ガイド部４３と第２ガイド部４４との鉛直方向の位置ずれを抑制する鉛直規制部が設けられている。次いで、図７に基づいて鉛直規制部について説明する。図７は、図３に示すＡ部分拡大図であり、鉛直規制部を示している。鉛直規制部は、第１ガイド部４３に設けられた第１鉛直規制部４３ｂと、第２ガイド部４４に設けられた第２鉛直規制部４４ｂと、によって構成されている。
【００６４】
第１鉛直規制部４３ｂは、第２ガイド部４４に向かって（右方に向かって）突出した一対の板部であり、板部間には空間が形成されている。第２鉛直規制部４４ｂは、第１ガイド部４３に向かって（左方に向かって）突出した板部であり、第１鉛直規制部４３ｂの板部間に挿入されている。第１鉛直規制部４３ｂの一対の板部間に第２鉛直規制部４４ｂの板部が挿入することにより、第１ガイド部４３と第２ガイド部４４の鉛直方向（上下方向）における相対移動や、前後方向における回転方向の相対移動を規制することができる。
【００６５】
また、可動ユニット４０には、第１可動物４１と第２可動物４２との相対位置を調整する位置調整部が設けられている。図８は、図３に示すＢ部分の部分拡大図であり、位置調整部の平面を示している。図９（ａ）は、第１ガイド部４３と第２ガイド部４４の上面と第１表示部４１ａ及び第２表示部４２ａを省略した可動ユニット４０の正面図であり、（ｂ）は（ａ）に示すＣ部分の部分拡大図である。図９は、位置調整部の正面を示している。
【００６６】
位置調整部は、第１連結部４１ｂの第２可動物４２側の端部において第２可動物４２に向かって（右方に向かって）突出した第１調整突起部４１ｃと、第２連結部４２ｂの第１可動物４１側の端部において第１可動物４１に向かって（左方に向かって）突出した第２調整突起部４２ｃと、によって構成されている。第１調整突起部４１ｃと第２調整突起部４２ｃとの先端は、互いに当接する当接面となる。第１調整突起部４１ｃの当接面は、正面視にて波状に屈曲しており、第２調整突起部４２ｃの当接面は、第１調整突起部４１ｃの当接面に沿う波状に屈曲している。
【００６７】
第１調整突起部４１ｃの当接面と第２調整突起部４２ｃの当接面とが互いに沿った形状であり、当接面同士が接することによって第１可動物４１と第２可動物４２の鉛直方向における相対位置を調整することができる。第１可動物４１が第２位置に移動して第２可動物４２が第４位置に移動すると、第１調整突起部４１ｃと第２調整突起部４２ｃとが互いに当接して、第１可動物４１と第２可動物４２の左右方向における位置決めを行いつつ、第１可動物４１と第２可動物４２との鉛直方向における位置決めを行うことができる。
【００６８】
また、第１可動物４１が第２位置にあって第２可動物４２が第４位置にある場合に、第１調整突起部４１ｃと第２調整突起部とは当接しているが、第１表示部４１ａと第２表示部４２ａとは当接せず、第１表示部４１ａと第２表示部４２ａとの間には隙間ｔが設けられている（図８参照）。このように、第１表示部４１ａと第２表示部４２ａとの間に隙間ｔが形成されていることにより、第１表示部４１ａと第２表示部４２ａとが隣接した位置であっても互いに接触せず、第１表示部４１ａと第２表示部４２ａとの表面に設けられたメッキ加工を保護することができる。
【００６９】
一方、第１表示部４１ａと第２表示部４２ａとの隙間ｔが大きくなると、後方に配置された装飾発光部４８が常に視認可能になってしまう。よって、第１表示部４１ａと第２表示部４２ａの互いに対向する面の内側には、互いに吸着する方向に作用する磁気吸着部材（図示せず）が設けられている。この磁気吸着手段を設けることにより、第１表示部４１ａと第２表示部４２ａとが所定の隙間ｔ以上離間することを防止するとともに、第１可動物４１が第２位置に近づき、かつ第２可動物４２が第４位置に近づいたときに第１表示部４１ａと第２表示部４２ａとを容易に近接させることができる。
【００７０】
このように構成された可動ユニット４０によれば、第１ガイド部４３と第２ガイド部４４に沿って各々移動する第１可動物４１と第２可動物４２との鉛直方向における位置ずれを抑制することができ、第１可動物４１と第２可動物４２が隣接した状態で第１可動物４１と第２可動物４２とを一体化して、マーク全体を表現することができる。以上、本発明の好ましい実施の形態を説明したが、本発明はこれらに限定されるものではなく、その要旨の範囲内で様々な変形や変更が可能である。
【００７１】
例えば、本実施の形態では、第１可動物４１と第２可動物４２とが隣接した状態で、第１表示部４１ａと第２表示部４２ａとの間には隙間ｔが設けられているが、他の構成によって表面のメッキ加工を保護するように構成してもよい。図１０は、変形例に係る第１表示部と第２表示部との隣接部分を拡大した拡大正面図である。なお、第１表示部及び第２表示部以外の符号は実施の形態と同様であるため省略する。
【００７２】
変形例に係る第１表示部５１と第２表示部５２とは、第１可動物４１と第２可動物４２とが隣接した状態で第１表示部５１の前端部５１ａと第２表示部５２の前端部５２ａとが接触している。そして、第１表示部５１と第２表示部５２とが対向する対向面５１ｂ，５２ｂは、後方に向かって離間するように傾斜している。
【００７３】
この構成の第１表示部５１及び第２表示部５２によれば、互いの対向面５１ｂ，５２ｂが接触しないため、対向面におけるメッキ加工を保護することができる。また、１可動物４１と第２可動物４２とが隣接した状態で第１表示部５１の前端部５１ａと第２表示部５２の前端部５２ａとが接触するため、第１可動物４１と第２可動物４２を密着させて後方の装飾発光部４８を遮蔽することが可能となる。
【符号の説明】
【００７４】
２：パチンコ機（遊技機）
３：遊技機枠
４：筐体枠（遊技機枠の一部）
５：遊技盤ユニット
６：遊技盤（遊技装置体）
７：センター役物（可動ユニット）
７ａ：図柄表示装置
７ｂ：表示画面（映像表示面）
７ｃ：表示図柄
７ｄ：表示開口部
７ｆ：表センター役物
７ｇ：裏センター役物
９：機枠（遊技機枠の一部）
１０：前面ガラス（透明板）
１２：装飾枠（遊技機枠の一部）
１４：貯留皿
１４ａ：上皿
１４ｂ：下皿
１４ｃ：遊技球排出ボタン
１５：発射ハンドル
１６：遊技領域
２２：ヒンジ部（揺動支持部）
２３：遊技球
２６：レール飾り
２６ａ：内側面（内周面）
２８：普通入賞口
２９：中央始動口
３１：中央大入賞口
３２：装飾部材
３８：アウト口
４０：可動ユニット
４１：第１可動物
４１ａ：第１表示部
４１ｂ：第１連結部
４１ｃ：第１調整突起部（鉛直調整部）
４１ｄ：第１ラック部
４１ｅ：第１遮光板
４２：第２可動物
４２ａ：第２表示部
４２ｂ：第２連結部
４２ｃ：第２調整突起部（鉛直調整部）
４２ｄ：第２ラック部
４２ｅ：第２遮光板
４３：第１ガイド部
４３ａ：第１連結穴部（接続部）
４３ｂ：第１鉛直規制部（鉛直規制部）
４４：第２ガイド部
４４ａ：第２連結穴部（接続部）
４４ｂ：第２鉛直規制部（鉛直規制部）
４５：第１モータ
４５ａ：第１ピニオン
４６：第２モータ
４６ａ：第２ピニオン
４７：ベース部
４８：装飾発光部
４９：第１センサ
５０：第２センサ
５１：第１表示部
５１ａ：前端部
５１ｂ：対向面
５２：第２表示部
５２ａ：前端部
５２ｂ：対向面
【図１】
2010220879.tif 000003
【図２】
2010220879.tif 000004
【図３】
2010220879.tif 000005
【図４】
2010220879.tif 000006
【図５】
2010220879.tif 000007
【図６】
2010220879.tif 000008
【図７】
2010220879.tif 000009
【図８】
2010220879.tif 000010
【図９】
2010220879.tif 000011
【図１０】
2010220879.tif 000012